【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
カテーテルであって、
（ａ）管状壁によってチューブ内に規定されるチューブルーメンおよび管状壁を備える、遠位チューブ；
（ｂ）前記遠位チューブの部分の周りに配置された支持膜；および
（ｃ）前記遠位チューブの近位部に動作可能に連結された近位シャフト
を備え、
前記近位シャフトは：
（ｉ）第一の細長部材；
（ｉｉ）第二の細長部材；および
（ｉｉｉ）前記の第一および第二の細長部材の第一の長さが第一のシースセグメント内に配置されるように前記の第一および第二の細長部材の第一の長さの周りに配置された、第一のシースセグメント、
を備え、
ここで、前記の第一および第二の細長部材は、前記遠位チューブの部分の中へ遠位に伸長するように構成される、
カテーテル。
【請求項２】
請求項１のカテーテルであって、
前記近位シャフトは、前記の第一および第二の細長部材の第二の長さが第二のシースセグメント内に配置されるように前記の第一および第二の細長部材の第二の長さの周りに配置された、第二のシースセグメントをさらに備え、
前記の第一および第二のシースセグメントの全長は、前記の第一および第二の細長部材の全長よりも短い、
カテーテル。
【請求項３】
請求項１のカテーテルであって、
前記近位シャフトは、前記の第一および第二の細長部材の第二の長さが第二のシースセグメント内に配置されるように前記の第一および第二の細長部材の第二の長さの周りに配置された、第二のシースセグメント；および、少なくとも１つの非シースセグメントをさらに備え、
ここで、前記の第一および第二の細長部材の長さは、前記シース内に配置されていない、
カテーテル。
【請求項４】
請求項１のカテーテルであって、
前記近位シャフトは、少なくとも１つのさらなるシースセグメントを備え、
前記の少なくとも１つのさらなるシースセグメントのそれぞれは、前記の第一および第二の細長部材の異なる長さの周りに配置される、
カテーテル。
【請求項５】
請求項４のカテーテルであって、
前記近位シャフトは、少なくとも１つの非シースセグメントを備え、
前記の第一および第二の細長部材の長さは、前記シース内に配置されていない、
カテーテル。
【請求項６】
請求項１のカテーテルであって、
前記の第一および第二の細長部材の少なくとも１つは、前記の第一および第二の細長部材の少なくとも１つの中に、ルーメンを規定する、
カテーテル。
【請求項７】
請求項１のカテーテルであって、
前記の第一および第二の細長部材の少なくとも１つは、ルーメンがない、
カテーテル。
【請求項８】
請求項１のカテーテルであって、
前記の第一の細長部材は、前記の管状壁の第一の部分の中へ遠位に伸長するように構成されて、
さらに、前記の第二の細長部材は、前記の管状壁の第二の部分の中へ遠位に伸長するように構成される、
カテーテル。
【請求項９】
請求項１のカテーテルであって、
前記近位シャフトは、前記の第一のシースセグメントにより規定されるシャフトルーメンをさらに備える、
カテーテル。
【請求項１０】
請求項９のカテーテルであって、
前記近位シャフトは、前記シャフトルーメンと流体連通している遠位開口部をさらに備え、それにより、前記シャフトルーメンが、前記チューブルーメンと流体連通している、
カテーテル。
【請求項１１】
請求項１０のカテーテルであって、
前記シャフトルーメンは、前記近位シャフトを通って前記の遠位開口部の外へ遠位に流体を流れさせることができるように、流体を受け入れるように構成される、
カテーテル。
【請求項１２】
請求項１０のカテーテルであって、
前記近位シャフトは、前記シャフトルーメンが前記管状壁の中へ遠位に伸長するように、および、前記の遠位開口部が前記チューブルーメンと流体連通しているように、前記管状壁の一部の中へ遠位に伸長するように構成される、
カテーテル。
【請求項１３】
請求項９のカテーテルであって、
前記シャフトルーメンは、前記チューブルーメンと流体連通していない、
カテーテル。
【請求項１４】
請求項９のカテーテルであって、
前記近位シャフトは、前記シャフトルーメンと流体連通している遠位開口部をさらに備え、それにより、前記シャフトルーメンが、前記カテーテルの外部の領域と流体連通している、
カテーテル。
【請求項１５】
請求項９のカテーテルであって、
前記近位シャフトは、前記シャフトルーメンと流体連通している遠位開口部をさらに備え、それにより、前記シャフトルーメンが、前記カテーテルの外部の領域および前記遠位チューブの近位と流体連通している、
カテーテル。
【請求項１６】
請求項９のカテーテルであって、
前記近位シャフトは、前記シャフトルーメンと流体連通している遠位開口部をさらに備え、それにより、前記シャフトルーメンが、前記カテーテルの外部の領域および前記遠位チューブの遠位と流体連通している、
カテーテル。
【請求項１７】
請求項１のカテーテルであって、
前記遠位チューブの近位部に配置された少なくとも１つの支持部材をさらに備える、
カテーテル。
【請求項１８】
請求項１のカテーテルであって、
前記近位シャフトの遠位部は、前記遠位チューブの近位部に配置された少なくとも１つの支持部材である、
カテーテル。
【請求項１９】
請求項１のカテーテルであって、
前記近位シャフトは、第三の細長部材を備える、
カテーテル。
【請求項２０】
請求項１９のカテーテルであって、
前記近位シャフトは、少なくとも１つのさらなる細長部材を備える、
カテーテル。
【請求項２１】
請求項１のカテーテルであって、
前記の第一のシースセグメントの少なくとも一部の中に配置された充填材料をさらに備える、
カテーテル
【請求項２２】
請求項１のカテーテルであって、
前記の第一のシースセグメントの少なくとも一部および第二のシースセグメントの少なくとも一部の中に配置された充填材料をさらに備える、
カテーテル。
【請求項２３】
請求項１のカテーテルであって、
前記の第一および第二の細長部材の第一の長さは、前記の第一のシースセグメントが前記の第一および第二の細長部材の全長の周りに配置されるように、前記の第一および第二の細長部材の全長である、
カテーテル。
【請求項２４】
請求項１のカテーテルであって、
前記の第一および第二の細長部材の第一の長さは、前記の第一のシースセグメントが前記の第一および第二の細長部材の全長の一部の周りに配置されるように、前記の第一および第二の細長部材の全長の一部である、
カテーテル。
【請求項２５】
請求項１のカテーテルであって、
前記の第一および第二の細長部材の第二の長さの周りに配置された第二のシースセグメントを、前記の第一および第二の細長部材の前記の第二の長さが前記の第二のシースセグメント内に配置されるようにさらに備え、
前記近位シャフトは、前記の第一のシースセグメントにより規定される第一のシャフトルーメンおよび前記の第二のシースセグメントにより規定される第二のシャフトルーメンをさらに備える、
カテーテル。
【請求項２６】
カテーテルであって：
（ａ）管状壁によりチューブ内に規定されるチューブルーメンおよび管状壁を備える、遠位チューブ；
（ｂ）前記遠位チューブの部分の周りに配置された支持膜；および
（ｃ）前記の遠位チューブの近位部に動作可能に連結された近位シャフト
を備え、
前記近位シャフトは：
（ｉ）第一の細長部材；
（ｉｉ）第二の細長部材；
（ｉｉｉ）前記の第一および第二の細長部材の長さが少なくとも１つのシースセグメント内に配置されるように前記の第一および第二の細長部材の長さの周りに配置された、少なくとも１つのシースセグメント；および
（ｉｖ）少なくとも１つの非シースセグメント
ここで、前記の第一および第二の細長部材の長さは、いかなるシースセグメント内にも配置されない
を備え、
ここで、前記の第一および第二の細長部材は、前記遠位チューブの一部の中へ遠位に伸長するように構成される、
カテーテル。
【請求項２７】
請求項２６のカテーテルであって、
前記の少なくとも１つのシースセグメントの特性が、前記のカテーテルの捻れコンプライアンス特性を決定する、
カテーテル。
【請求項２８】
請求項２６のカテーテルであって、
前記の第一および第二の細長部材は、前記の非シースセグメントに沿って互いに転がり接触して配置される、
カテーテル。
【請求項２９】
請求項２６のカテーテルであって、
前記の第一および第二の細長部材は、前記の非シースセグメントに沿って互いに滑り接触して配置される、
カテーテル。
【請求項３０】
請求項２６のカテーテルであって、
前記の第一および第二の細長部材は、前記の非シースセグメントに沿って互いに転がりおよび滑り接触して配置される、
カテーテル。
【請求項３１】
請求項２６のカテーテルであって、
前記の第一および第二の細長部材は、前記のシースセグメント内に互いに転がり接触して配置される、
カテーテル。
【請求項３２】
請求項２６のカテーテルであって、
前記の第一および第二の細長部材は、前記のシースセグメント内に互いに滑り接触して配置される、
カテーテル。
【請求項３３】
請求項２６のカテーテルであって、
前記の第一および第二の細長部材は、前記のシースセグメント内に互いに転がりおよび滑り接触して配置される、
カテーテル。
【請求項３４】
請求項２６のカテーテルであって、
前記の少なくとも１つの非シースセグメントの特性が、前記のカテーテルの捻れコンプライアンス特性を決定する、
カテーテル。
【請求項３５】
標準的なガイディングカテーテルと組み合わせて伸長カテーテルを用いて、患者の血管系内の所定の位置において手順を行なう方法であって、
前記方法は：
前記患者内の標的血管中に前記の標準的なガイディングカテーテルを配置するステップ；
所望の捻れコンプライアンス特性に基づいて、前記伸長カテーテルを選択するステップ、
前記伸長カテーテルは：
（ａ）管状壁によりチューブ内に規定されるチューブルーメンおよび管状壁を備える、遠位チューブ；
（ｂ）前記遠位チューブの部分の周りに配置された支持膜；および
（ｃ）前記の遠位チューブの近位部に動作可能に連結された近位シャフト
を備え、
前記近位シャフトは：
（ｉ）第一の細長部材；
（ｉｉ）第二の細長部材；
（ｉｉｉ）前記の第一および第二の細長部材の長さが少なくとも１つのシースセグメント内に配置されるように前記の第一および第二の細長部材の長さの周りに配置された、少なくとも１つのシースセグメント；および
（ｉｖ）少なくとも１つの非シースセグメント
ここで、前記の第一および第二の細長部材の長さは、いかなるシースセグメント内にも配置されない
を備え、
ここで、前記の捻れコンプライアンス特性は、前記の少なくとも１つのシースセグメントおよび前記の少なくとも１つの非シースセグメントに基づいて決定される；
前記伸長カテーテルを、前記の標準的なガイディングカテーテルの中に挿入するステップ；
前記の遠位チューブの遠位部が前記の標準的なガイディングカテーテルの遠位端の外へ遠位に伸長するように、前記の標準的なガイディングカテーテルを通して前記伸長カテーテルを遠位に促すステップ；および
前記の伸長カテーテルおよび標準的なガイディングカテーテルを通して手順を行なうステップ、
を含む、
方法。
【請求項３６】
請求項３５の方法であって、
前記の少なくとも１つのシースセグメントのサイズまたは数の増大は、前記のカテーテルの捻れコンプライアンス特性を低減させる、
方法。
【請求項３７】
請求項３５の方法であって、
少なくとも１つの非シースセグメントのサイズまたは数の増大は、前記のカテーテルの捻れコンプライアンス特性を増大させる、
方法。
【請求項３８】
請求項３５の方法であって、
前記シースセグメントの少なくとも一部に充填材料を添加するステップをさらに含み、
前記充填材料は、結合材料であり、
ここで、前記の結合材料を添加するステップは、前記のカテーテルの捻れコンプライアンス特性を低減させる、
方法。
【請求項３９】
請求項３５の方法であって、
前記のシースセグメントの少なくとも一部に充填材料を添加するステップをさらに含み、
前記充填材料は、潤滑剤であり、
ここで、前記の潤滑剤を添加するステップは、前記のカテーテルの捻れコンプライアンス特性を増大させる、
方法。
【請求項４０】
請求項１のカテーテルであって、
前記支持膜は、部分的な円周膜である、
カテーテル。
【請求項４１】
請求項１のカテーテルであって、
前記遠位チューブは、前記遠位チューブの近位開口部の部分の周りに配置された保護ラップをさらに備える、
カテーテル。
【請求項４２】
請求項１のカテーテルであって、
前記遠位チューブは、近位部よりも高い剛性を有する遠位部を備える、
カテーテル。